(57)【要約】【課題】  既設枠の上から迅速に安定性よく取り付け可能なリフォーム枠を備える建具を提供する。【解決手段】  見込方向一方側にアングル部を有する既設枠の内周側に取り付けるリフォーム枠と、スペーサと、カバー材を備え、リフォーム枠は、中空部と、中空部の見込方向一方側に位置するアングル部を有していて、中空部の外周面が平面状であり、カバー材は、見込面部と、見込面部の見込方向一方側端から外周側に延びる壁部を有しており、リフォーム枠の中空部の外周面と既設枠の内周面の間にスペーサを挟んで、リフォーム枠を既設枠に固定してあり、カバー材の見込面部をリフォーム枠のアングル部と既設枠のアングル部で挟んであり、壁部が長さ調整自在である。【選択図】      図１
2018141366.tif 000002
【特許請求の範囲】
【請求項１】
見込方向一方側にアングル部を有する既設枠の内周側に取り付けるリフォーム枠と、スペーサと、カバー材を備え、リフォーム枠は、中空部と、中空部の見込方向一方側に位置するアングル部を有していて、中空部の外周面が平面状であり、カバー材は、見込面部と、見込面部の見込方向一方側端から外周側に延びる壁部を有しており、リフォーム枠の中空部の外周面と既設枠の内周面の間にスペーサを挟んで、リフォーム枠を既設枠に固定してあり、カバー材の見込面部をリフォーム枠のアングル部と既設枠のアングル部で挟んであり、壁部が長さ調整自在であることを特徴とする建具。
【請求項２】
既設枠の内周側に取り付けるリフォーム枠と、スペーサを備え、リフォーム枠は、外周側に、外周面が平面状な目板を取り付けてあり、リフォーム枠の目板と既設枠の内周面の間にスペーサを挟んで、リフォーム枠を既設枠に固定してあることを特徴とする建具。
【請求項３】
カバー材を備え、リフォーム枠は、見込方向一方側にアングル部を有する既設枠の内周側に取り付けるものであって、目板取付部の見込方向一方側に位置するアングル部を有しており、カバー材は、見込面部と、見込面部の見込方向一方側端から外周側に延びる壁部を有しており、カバー材の見込面部をリフォーム枠のアングル部と既設枠のアングル部で挟んであり、壁部が長さ調整自在であることを特徴とする請求項２記載の建具。
【請求項４】
見込方向一方側にアングル部を有する既設枠の内周側に取り付けるリフォーム枠と、スペーサと、カバー材を備え、リフォーム枠は、外周側に位置する平面部と、平面部の見込方向一方側に位置するアングル部を有しており、カバー材は、見込面部と、見込面部の見込方向一方側端から外周側に延びる壁部を有しており、リフォーム枠の平面部と既設枠の内周面の間にスペーサを挟んで、リフォーム枠を既設枠に固定してあり、カバー材の見込面部をリフォーム枠のアングル部と既設枠のアングル部で挟んであり、壁部が長さ調整自在であることを特徴とする建具。
【発明の詳細な説明】
【技術分野】
【０００１】
本発明は、浴室戸などに用いられるリフォーム用の建具に関する。
【背景技術】
【０００２】
浴室の戸が破損して新たな戸にリフォームする場合に、既設枠に適応する戸がなければ、新たなリフォーム枠を設置する必要がある。
【発明の概要】
【発明が解決しようとする課題】
【０００３】
しかしながら、既設枠を取り外してリフォーム枠に取り替えるには、壁や床を破壊する必要があり、時間や費用がかかっていた。そこで、既設枠を残したまま、既設枠の上から迅速に安定性よく取り付け可能なリフォーム枠を備える建具が求められていた。
【０００４】
本発明は、上記事情を鑑みたものであり、既設枠の上から迅速に安定性よく取り付け可能なリフォーム枠を備える建具を提供することを目的とする。
【課題を解決するための手段】
【０００５】
本発明のうち請求項１の発明は、見込方向一方側にアングル部を有する既設枠の内周側に取り付けるリフォーム枠と、スペーサと、カバー材を備え、リフォーム枠は、中空部と、中空部の見込方向一方側に位置するアングル部を有していて、中空部の外周面が平面状であり、カバー材は、見込面部と、見込面部の見込方向一方側端から外周側に延びる壁部を有しており、リフォーム枠の中空部の外周面と既設枠の内周面の間にスペーサを挟んで、リフォーム枠を既設枠に固定してあり、カバー材の見込面部をリフォーム枠のアングル部と既設枠のアングル部で挟んであり、壁部が長さ調整自在であることを特徴とする。
【０００６】
本発明のうち請求項２の発明は、既設枠の内周側に取り付けるリフォーム枠と、スペーサを備え、リフォーム枠は、外周側に、外周面が平面状な目板を取り付けてあり、リフォーム枠の目板と既設枠の内周面の間にスペーサを挟んで、リフォーム枠を既設枠に固定してあることを特徴とする。
【０００７】
本発明のうち請求項３の発明は、カバー材を備え、リフォーム枠は、見込方向一方側にアングル部を有する既設枠の内周側に取り付けるものであって、目板取付部の見込方向一方側に位置するアングル部を有しており、カバー材は、見込面部と、見込面部の見込方向一方側端から外周側に延びる壁部を有しており、カバー材の見込面部をリフォーム枠のアングル部と既設枠のアングル部で挟んであり、壁部が長さ調整自在であることを特徴とする。
【０００８】
本発明のうち請求項４の発明は、見込方向一方側にアングル部を有する既設枠の内周側に取り付けるリフォーム枠と、スペーサと、カバー材を備え、リフォーム枠は、外周側に位置する平面部と、平面部の見込方向一方側に位置するアングル部を有しており、カバー材は、見込面部と、見込面部の見込方向一方側端から外周側に延びる壁部を有しており、リフォーム枠の平面部と既設枠の内周面の間にスペーサを挟んで、リフォーム枠を既設枠に固定してあり、カバー材の見込面部をリフォーム枠のアングル部と既設枠のアングル部で挟んであり、壁部が長さ調整自在であることを特徴とする。
【０００９】
なお、各請求項の発明において、建具のリフォーム枠には、下枠、上枠及び縦枠があるが、そのうちの少なくとも一つの枠が、各請求項の構成を有しているものであればよい。
【発明の効果】
【００１０】
本発明のうち請求項１の発明によれば、リフォームに際して既設枠を取り外す必要がないので、施工性がよく、工期を短縮でき、費用も抑えられる。そして、リフォーム枠の中空部の外周面が平面状なので、既設枠との間に挟んだスペーサに対して広い面積で当接し、安定性よく取り付けられる。また、既設枠のレールを切除してリフォーム枠を取り付ける場合と、レールを切除せずにその高さ分のスペーサを挟んでリフォーム枠を取り付ける場合とで、リフォーム枠の取付高さが異なるが、カバー材の壁部が長さ調整自在なので、何れの場合にも対応できる。さらに、リフォーム枠が中空部を有する一体形状となっているので、特に施工性がよい。
【００１１】
本発明のうち請求項２の発明によれば、リフォームに際して既設枠を取り外す必要がないので、施工性がよく、工期を短縮でき、費用も抑えられる。そして、リフォーム枠の目板の外周面が平面状なので、既設枠との間に挟んだスペーサに対して広い面積で当接し、安定性よく取り付けられる。さらに、目板を適宜用意することで、種々の枠をリフォーム枠として用いることができる。
【００１２】
本発明のうち請求項３の発明によれば、既設枠のレールを切除してリフォーム枠を取り付ける場合と、レールを切除せずにその高さ分のスペーサを挟んでリフォーム枠を取り付ける場合とで、リフォーム枠の取付高さが異なるが、カバー材の壁部が長さ調整自在なので、何れの場合にも対応できる。
【００１３】
本発明のうち請求項４の発明によれば、リフォームに際して既設枠を取り外す必要がないので、施工性がよく、工期を短縮でき、費用も抑えられる。そして、リフォーム枠の平面部が、既設枠との間に挟んだスペーサに対して広い面積で当接し、安定性よく取り付けられる。また、既設枠のレールを切除してリフォーム枠を取り付ける場合と、レールを切除せずにその高さ分のスペーサを挟んでリフォーム枠を取り付ける場合とで、リフォーム枠の取付高さが異なるが、カバー材の壁部が長さ調整自在なので、何れの場合にも対応できる。
【図面の簡単な説明】
【００１４】
【図１】第一実施形態の下枠部分の縦断面図である。
【図２】第一実施形態の上枠部分の縦断面図である。
【図３】第一実施形態の縦枠部分の横断面図である。
【図４】第一実施形態の全体縦断面図である。
【図５】第一実施形態の全体横断面図である。
【図６】第一実施形態の浴室側正面図である。
【図７】第一実施形態において、既設枠のレールを残す場合の下枠部分の縦断面図である。
【図８】第一実施形態において、既設枠のレールを残す場合の上枠部分の縦断面図である。
【図９】第二実施形態の下枠部分の縦断面図である。
【図１０】第二実施形態の上枠部分の縦断面図である。
【図１１】第二実施形態の縦枠部分の横断面図である。
【図１２】第三実施形態の下枠部分の縦断面図である。
【図１３】第三実施形態において、既設枠のレールを残す場合の下枠部分の縦断面図である。
【発明を実施するための形態】
【００１５】
以下、本発明の実施の形態を図面に基づいて説明する。この建具は様々な場所に設置可能なものであるが、ここでは浴室と脱衣室を仕切る浴室戸のリフォームに用いる場合を示す。なお、以下においては脱衣室側が見込方向一方側に相当する。図４〜図６に示すように、この建具の第一実施形態は、リフォーム枠としての下枠１、上枠２及び左右の縦枠３と、戸体７を備える。戸体７は、二枚折戸であって、浴室側に引手７１を設けてあり、浴室側に折り畳まれて開閉するものであって、下枠１と、上枠２と、左右の縦枠３を四周枠組みして形成した枠体に納めてある。そして、これらの下枠１、上枠２及び縦枠３は、それぞれ既設枠（既設下枠１０１、既設上枠１０２及び既設縦枠１０３）の内周側に取り付けてあり、以下、それぞれについて詳述する。
【００１６】
まず、下枠１部分について説明する。図１に示すように、下枠１を取り付ける既設下枠１０１は、水平面からなる既設下枠本体部１１１と、既設下枠本体部１１１の脱衣室側端に形成したアングル部１１２と、既設下枠本体部１１１の外周側に形成した脚部１１３と、既設下枠本体部１１１の浴室側端に形成した浴室側壁面部１１４を有する。アングル部１１２は、既設下枠本体部１１１の脱衣室側端から上側に向けて延びる垂直部１１２ａと、垂直部１１２ａの上端から脱衣室側に向けて延びる水平部１１２ｂからなる。また、脚部１１３は、既設下枠本体部１１１の浴室側部と脱衣室側部に、離隔して二本形成してある。さらに、浴室側壁面部１１４は、既設下枠本体部１１１の浴室側端から下側に向けて延びている。そして、既設下枠１０１の脚部１１３を、躯体Ｓの見込面に当接させ、浴室側壁面部１１４を躯体Ｓの見付面に当接させてあり、さらにアングル部１１２の水平部１１２ｂを、躯体Ｓの見込面よりも一段高く形成した脱衣室の床面Ｆに当接させてある。なお、既設下枠本体部１１１の上面には、リフォーム前の戸体が摺動するレールが形成されていたが、リフォームに際してレールを切除してある。
【００１７】
そして、このような既設下枠１０１の内周側に、新たに下枠１を取り付ける。下枠１は、中空部１１ａを有する下枠本体部１１と、下枠本体部１１（中空部１１ａ）の脱衣室側端に形成したアングル部１２と、下枠本体部１１（中空部１１ａ）の浴室側端に形成した浴室側壁面部１４を有する。下枠本体部１１（中空部１１ａ）は、下面（外周面）が平面状になっており、上面（内周面）には、戸体７を摺動させるためのレール１５を形成してある。また、アングル部１２は、下枠本体部１１の脱衣室側端から上側に向けて延びる垂直部１２ａと、垂直部１２ａの上端から脱衣室側に向けて延びる水平部１２ｂからなり、水平部１２ｂは下枠本体部１１よりも上側に位置する。垂直部１２ａの上端の浴室側面には、タイト材ホルダを形成してあり、タイト材１６を取り付けてあって、戸体７を閉じた際に、戸体７の脱衣室側面がタイト材１６に当接する。さらに、浴室側壁面部１４は、下枠本体部１１の浴室側端から下側に向けて延びており、その脱衣室側面には、複数の断面Ｖ字形の溝部１４ａを上下方向にわたって等間隔に形成してあり、折り取って長さ調整自在となっている。そして、下枠１の下枠本体部１１の下面（外周面）と、既設下枠１０１の既設下枠本体部１１１の上面（内周面）の間に、平板状のスペーサ４を挟んで、下枠１を既設下枠１０１の内周側に設置してある。このように下枠１を設置すると、下枠１のアングル部１２の水平部１２ｂが、既設下枠１０１のアングル部１１２の水平部１１２ｂの上側に位置し、下枠１の浴室側壁面部１４が、既設下枠１０１の既設下枠本体部１１１及び浴室側壁面部１１４の浴室側に位置する。ここで、浴室側壁面部１４が躯体Ｓなどと干渉する場合には、折り取って長さ調整すればよい。さらに、この建具は、脱衣室側に設けるカバー材５を有する。カバー材５は、水平向きの見込面部５１と、見込面部５１の脱衣室側端から下側に向けて延びる壁部５２を有している。壁部５２の浴室側面には、複数の突出片５３を上下にわたって等間隔に形成してあり、各突出片５３の直下の部位を肉薄に形成してあって、壁部５２が折り取って長さ調整自在となっている。また、見込面部５１の下面には、複数の断面Ｖ字形の溝部５４を見込方向にわたって等間隔に形成してあり、見込面部５１も折り取って長さ調整自在となっている。このように形成したカバー材５の見込面部５１を、ブロック状のカバー材用スペーサ５５とともに、下枠１のアングル部１２の水平部１２ｂと既設下枠１０１のアングル部１１２の水平部１１２ｂの間に挟んである。そして、壁部５２は、脱衣室の床面Ｆに干渉しないように、折り取って長さ調整してある。また、見込面部５１についても、下枠１のアングル部１２の水平部１２ｂ及び既設下枠１０１のアングル部１１２の水平部１１２ｂの長さに合わせて、長さ調整できる。そして、下枠１のアングル部１２の水平部１２ｂにネジ孔を形成してあってネジを挿入してあり、ネジは、カバー材５の見込面部５１、カバー材用スペーサ５５、既設下枠１０１のアングル部１１２の水平部１１２ｂ及び脱衣室の床面Ｆを貫通して、躯体Ｓに螺合しており、下枠１を既設下枠１０１に固定してある。なお、下枠１の浴室側壁面部１４と躯体Ｓの間の隙間、下枠１のアングル部１２の水平部１２ｂとカバー材５の見込面部５１の間の隙間及びカバー材５の壁部５２と脱衣室の床面Ｆの間の隙間は、何れもシール材により埋めてある。
【００１８】
次に、上枠２部分について説明する。図２に示すように、上枠２を取り付ける既設上枠１０２は、水平面からなる既設上枠本体部１２１と、既設上枠本体部１２１の脱衣室側端に形成した見付面部１２２と、既設上枠本体部１２１の外周側に形成した脚部１２３と、既設上枠本体部１２１の浴室側端に形成した浴室側壁面部１２４を有する。見付面部１２２は、既設上枠本体部１２１の脱衣室側端から下側に向けて延びている。また、脚部１２３は、既設上枠本体部１２１の浴室側部と脱衣室側部に、離隔して二本形成してある。さらに、浴室側壁面部１２４は、既設上枠本体部１２１の浴室側端から上側に向けて延びている。そして、既設上枠１０２の脚部１２３を、躯体Ｓの見込面に当接させ、浴室側壁面部１２４を躯体Ｓの見付面に当接させてあり、さらに見付面部１２２を、躯体Ｓの見込面に設けた額縁Ｃの見付面に当接させてある。なお、既設上枠本体部１２１の下面には、リフォーム前の戸体が摺動するレールが形成されていたが、リフォームに際してレールを切除してある。
【００１９】
そして、このような既設上枠１０２の内周側に、新たに上枠２を取り付ける。上枠２は、水平面からなる上枠本体部２１と、上枠本体部２１の脱衣室側端に形成した見付面部２２と、上枠本体部２１の外周側に形成した平面部２３と、上枠本体部２１の浴室側端に形成した浴室側壁面部２４を有する。上枠本体部２１は、下面（内周面）に戸体７を摺動させるためのレール２５を形成してある。また、見付面部２２は、上枠本体部２１の脱衣室側端から下側に向けて延びており、その下端の浴室側面には、タイト材ホルダを形成してあり、タイト材２６を取り付けてあって、戸体７を閉じた際に、戸体７の脱衣室側面がタイト材２６に当接する。さらに、平面部２３は、水平方向を向いた面であって、上枠本体部２１の浴室側部と脱衣室側部に、離隔して二つ形成してある。また、浴室側壁面部２４は、上枠本体部２１の浴室側端から上側に向けて延びており、その脱衣室側面には、複数の断面Ｖ字形の溝部２４ａを上下方向にわたって等間隔に形成してあり、折り取って長さ調整自在となっている。そして、上枠２の上枠本体部２１の外周側の平面部２３と、既設上枠１０２の既設上枠本体部１２１の下面（内周面）の間に、平板状の二枚のスペーサ４を挟んで、上枠２を既設上枠１０２の内周側に設置してある。このように上枠２を設置すると、上枠２の見付面部２２が、既設上枠１０２の見付面部１２２の浴室側に位置し、上枠２の浴室側壁面部２４が、既設上枠１０２の既設上枠本体部１２１及び浴室側壁面部１２４の浴室側に位置する。ここで、浴室側壁面部２４が躯体Ｓなどと干渉する場合には、折り取って長さ調整すればよい。そして、上枠２の上枠本体部２１にネジ孔を形成してあってネジを挿入してあり、ネジは、スペーサ４、既設上枠１０２の既設上枠本体部１２１を貫通して、躯体Ｓに螺合しており、上枠２を既設上枠１０２に固定してある。なお、上枠２の浴室側壁面部２４と躯体Ｓの間の隙間及び上枠２の見付面部２２と既設上枠１０２の見付面部１２２の間の隙間は、何れもシール材により埋めてある。
【００２０】
最後に、縦枠３部分について説明する。左右の縦枠３部分は対称な構造であり、ここでは左側の縦枠３に基づき説明する。図３に示すように、縦枠３を取り付ける既設縦枠１０３は、見込面からなる既設縦枠本体部１３１と、既設縦枠本体部１３１の脱衣室側端に形成した見付面部１３２と、既設縦枠本体部１３１の外周側に形成した脚部１３３と、既設縦枠本体部１３１の浴室側端に形成した浴室側壁面部１３４を有する。見付面部１３２は、既設縦枠本体部１３１の脱衣室側端から内周側に向けて延びている。また、脚部１３３は、既設縦枠本体部１３１の浴室側部と脱衣室側部に、離隔して二本形成してある。さらに、浴室側壁面部１３４は、既設縦枠本体部１３１の浴室側端から外周側に向けて延びている。そして、既設縦枠１０３の脚部１３３を、躯体Ｓの見込面に当接させ、浴室側壁面部１３４を躯体Ｓの見付面に当接させてあり、さらに見付面部１３２を、躯体Ｓの見込面に設けた額縁Ｃの見付面に当接させてある。なお、既設縦枠本体部１３１の内周面には、リフォーム前の戸体が当接するタイト材を取り付けるタイト材ホルダが形成されていたが、リフォームに際してタイト材ホルダを切除してある。
【００２１】
そして、このような既設縦枠１０３の内周側に、新たに縦枠３を取り付ける。縦枠３は、見込面からなる縦枠本体部３１と、縦枠本体部３１の脱衣室側端に形成した見付面部３２と、縦枠本体部３１の外周側に形成した平面部３３と、縦枠本体部３１の浴室側端に形成した浴室側壁面部３４を有する。縦枠本体部３１は、内周面にタイト材ホルダを形成してあり、タイト材３８を取り付けてあって、戸体７を閉じた際に、戸体７の戸先部又は戸尻部がタイト材３８に当接する。また、見付面部３２は、縦枠本体部３１の脱衣室側端から内周側に向けて延びており、その内周側端の浴室側面にも、タイト材ホルダを形成してあり、タイト材３６を取り付けてあって、戸体７を閉じた際に、戸体７の脱衣室側面がタイト材３６に当接する。さらに、平面部３３は、見込方向を向いた面であって、縦枠本体部３１の浴室側部と脱衣室側部に、離隔して二つ形成してある。また、浴室側壁面部３４は、縦枠本体部３１の浴室側端から外周側に向けて延びており、その脱衣室側面には、複数の断面Ｖ字形の溝部３４ａを内外周方向にわたって等間隔に形成してあり、折り取って長さ調整自在となっている。そして、縦枠３の縦枠本体部３１の外周側の平面部３３と、既設縦枠１０３の既設縦枠本体部１３１の内周面の間に、平板状のスペーサ４を挟んで、縦枠３を既設縦枠１０３の内周側に設置してある。このように縦枠３を設置すると、縦枠３の見付面部３２が、既設縦枠１０３の見付面部１３２の浴室側に位置し、縦枠３の浴室側壁面部３４が、既設縦枠１０３の既設縦枠本体部１３１及び浴室側壁面部１３４の浴室側に位置する。ここで、浴室側壁面部３４が躯体Ｓなどと干渉する場合には、折り取って長さ調整すればよい。そして、縦枠３の縦枠本体部３１にネジ孔を形成してあってネジを挿入してあり、ネジは、スペーサ４、既設縦枠１０３の既設縦枠本体部１３１を貫通して、躯体Ｓに螺合しており、縦枠３を既設縦枠１０３に固定してある。なお、縦枠３の浴室側壁面部３４と躯体Ｓの間の隙間及び縦枠３の見付面部３２と既設縦枠１０３の見付面部１３２の間の隙間は、何れもシール材により埋めてある。
【００２２】
このように構成した本発明の建具の第一実施形態によれば、リフォームに際して既設枠（既設下枠１０１、既設上枠１０２及び既設縦枠１０３）を取り外す必要がないので、施工性がよく、工期を短縮でき、費用も抑えられる。たとえば、一般的な浴室戸のリフォームであれば、一日の工期で取り替えが完了する。そして、下枠１の下枠本体部１１の中空部１１ａの外周面が平面状であり、上枠２や縦枠３は外周側に平面部２３，３３を有するので、既設枠との間に挟んだスペーサ４に対して広い面積で当接し、安定性よく取り付けられる。また、下枠１は中空部１１ａを有する一体形状となっており、上枠２及び縦枠３も平面部２３，３３を有する一体形状となっているので、特に施工性がよい。さらに、下枠１は、下枠本体部１１よりも上側に位置するアングル部１２の水平部１２ｂを既設下枠１０１にネジ止めしてあるので、ネジ孔から水が浸入しにくい。
【００２３】
そして、上記の例では、既設下枠１０１及び既設上枠１０２のレール並びに既設縦枠１０３のタイト材ホルダを切除して下枠１、上枠２及び縦枠３を取り付けたが、これらを切除することなく下枠１、上枠２及び縦枠３を取り付けることもできる。図７に示すのは、下枠１部分であり、既設下枠１０１の既設下枠本体部１１１の上面のレール１１５を残してある。この場合、レール１１５の浴室側と脱衣室側に、レール１１５の高さよりも高いスペーサ４を配置し、このスペーサ４の上面に下枠１の下枠本体部１１の外周面を当接させて、下枠１を既設下枠１０１の内周側に取り付けてある。そしてこの場合、レールを切除した場合と比べて下枠１の取付高さが高くなるので、その分だけカバー材用スペーサ５５も高さの高いものを用いている。また、カバー材５の壁部５２についても、より高さが必要なので、レールを切除した場合と比べて、折り取る部分を短くしてある。このように、既設下枠１０１のレール１１５を切除して下枠１を取り付ける場合と、レール１１５を切除せずにその高さ分のスペーサ４を挟んで下枠１を取り付ける場合とで、下枠１の取付高さが異なるが、カバー材５の壁部５２が折り取って長さ調整自在なので、何れの場合にも対応できる。また、図８に示すのは、上枠２部分であり、下枠１部分と同様に、既設上枠１０２の既設上枠本体部１２１の下面のレール１２５を残してある。この場合も、レール１２５の浴室側と脱衣室側に、レール１２５の高さよりも高いスペーサ４を配置し、このスペーサ４の下面に上枠２の上枠本体部２１の外周側の平面部２３を当接させて、上枠２を既設上枠１０２の内周側に取り付けてある。さらに、縦枠３についても同様に、既設縦枠本体部１３１に残したタイト材ホルダの浴室側と脱衣室側に、タイト材ホルダの高さよりも高いスペーサ４を配置することで、タイト材ホルダを残したまま縦枠３を取り付けられる。
【００２４】
次に、図９〜図１１に基づき、第二実施形態について説明する。第二実施形態も、下枠１、上枠２及び縦枠３を、第一実施形態の場合と同様の既設枠（既設下枠１０１、既設上枠１０２及び既設縦枠１０３）の内周側に取り付けるものである。図９に示すように、第二実施形態の下枠１は、水平面からなる下枠本体部１１と、下枠本体部１１の脱衣室側端と浴室側端の外周側に形成した目板受部１７と、両目板受部１７の間（下枠本体部１１の見込方向中間部）に形成した補強部１８を有する。脱衣室側端の目板受部１７は、下枠本体部１１から下側（外周側）に延び先端が浴室側に屈曲した形状であり、浴室側の目板受部１７は、下枠本体部１１から下側（外周側）に延び先端が脱衣室側に屈曲した形状である。また、補強部１８は、下枠本体部１１から下側（外周側）に延びており、目板受部１７と略同じ高さである。その他、下枠本体部１１の脱衣室側端に形成したアングル部１２、下枠本体部１１の浴室側端に形成した浴室側壁面部１４及び下枠本体部１１の上面に形成したレール１５については、第一実施形態と同じである。ただし、浴室側壁面部１４は、浴室側の目板受部１７の下端部からさらに延長して設けてあるが、ここではすべて折り取ってある。このように形成した下枠１は、既設下枠１０１と略同一の断面形状である。そして、下枠本体部１１の下面側（外周側）に、目板６を取り付けてある。目板６は、略平板状で特に外周面が平面状であり、内周面の脱衣室側と浴室側に、それぞれ下枠１の目板受部１７に対応する爪部６１を形成してある。また、脱衣室側端には、上側に向けて延びる立上部６２を形成してあり、さらに立上部６２の上端に、カバー材５を一体に形成してある。すなわち、立上部６２の上端から脱衣室側に向けて水平向きに延びる見込面部５１と、見込面部５１の脱衣室側端から下側に向けて延びる壁部５２を有している。第一実施形態のカバー材と同様に、壁部５２の浴室側面には、複数の突出片５３を上下にわたって等間隔に形成してあり、各突出片５３の直下の部位を肉薄に形成してあって、壁部５２が折り取って長さ調整自在となっている。このように形成した目板６（及びカバー材５）の爪部６１を下枠１の目板受部１７に係合させて、目板６を下枠１の外周側に取り付け、さらに目板６の下面（外周面）と、既設下枠１０１の既設下枠本体部１１１の上面（内周面）に間に、平板状のスペーサ４を挟んで、下枠１を既設下枠１０１の内周側に設置してある。このように下枠１を設置すると、下枠１の補強部１８の下端が、目板６の上面に当接する。また、目板６と一体に形成したカバー材５の見込面部５１が、下枠１のアングル部１２の水平部１２ｂの下面に当接し、カバー材５の見込面部５１と既設下枠１０１のアングル部１１２の水平部１１２ｂの間には、カバー材用スペーサ５５を挟んである。さらに、カバー材５の壁部５２は、脱衣室の床面Ｆに干渉しないように、折り取って長さ調整してある。そして、第一実施形態と同様に、下枠１のアングル部１２の水平部１２ｂを既設下枠１０１及び躯体Ｓにネジ止めしてある。
【００２５】
また、図１０に示すように、第二実施形態の上枠２は、水平面からなる上枠本体部２１と、上枠本体部２１の脱衣室側端と浴室側端の外周側に形成した目板受部２７と、両目板受部２７の間（上枠本体部２１の見込方向中間部）に形成した補強部２８を有する。脱衣室側端の目板受部２７は、上枠本体部２１から上側（外周側）に延び先端が浴室側に屈曲した形状であり、浴室側の目板受部２７は、上枠本体部２１から上側（外周側）に延び先端が脱衣室側に屈曲した形状である。また、補強部２８は、上枠本体部２１から上側（外周側）に延びており、目板受部２７と略同じ高さである。その他、上枠本体部２１の脱衣室側端に形成した見付面部２２、上枠本体部２１の浴室側端に形成した浴室側壁面部２４及び上枠本体部２１の下面に形成したレール２５については、第一実施形態と同じである。ただし、浴室側壁面部２４は、浴室側の目板受部２７の上端部からさらに延長して設けてあるが、ここではすべて折り取ってある。このように形成した上枠２は、既設上枠１０２と略同一の断面形状である。そして、上枠本体部２１の上面側（外周側）に、目板６を取り付けてある。目板６は、略平板状で特に外周面が平面状であり、内周面の脱衣室側と浴室側に、それぞれ上枠２の目板受部２７に対応する爪部６１を形成してあり、さらに両爪部６１の間に、上枠２の補強部２８に対応する係止片６３を形成してある。このように形成した目板６の爪部６１を上枠２の目板受部２７に係合させて、目板６を上枠２の外周側に取り付け、さらに目板６の上面（外周面）と、既設上枠１０２の既設上枠本体部１２１の下面（内周面）に間に、平板状のスペーサ４を挟んで、上枠２を既設上枠１０２の内周側に設置してある。このように上枠２を設置すると、上枠２の補強部２８の上端が、目板６の下面に当接し、目板６の係止片６３に係止する。そして、第一実施形態と同様に、上枠２の上枠本体部２１を既設上枠１０２及び躯体Ｓにネジ止めしてある。
【００２６】
さらに、図１１に示すように、第三実施形態の縦枠３は、見込面からなる縦枠本体部３１と、縦枠本体部３１の脱衣室側端と浴室側端の外周側に形成した目板受部３７を有する。脱衣室側端の目板受部３７は、縦枠本体部３１から外周側に延び先端が浴室側に屈曲した形状であり、浴室側の目板受部３７は、縦枠本体部３１から外周側に延び先端が脱衣室側に屈曲した形状である。その他、縦枠本体部３１の脱衣室側端に形成した見付面部３２及び縦枠本体部３１の浴室側端に形成した浴室側壁面部３４並びに縦枠本体部３１の内周面に形成したタイト材ホルダ及びタイト材３８については、第一実施形態と同じである。ただし、浴室側壁面部３４は、浴室側の目板受部３７の外周側端部からさらに延長して設けてあるが、ここではすべて折り取ってある。このように形成した縦枠３は、既設縦枠１０３と略同一の断面形状である。そして、縦枠本体部３１の外周側に、目板６を取り付けてある。目板６は、略平板状で特に外周面が平面状であり、内周面の脱衣室側と浴室側に、それぞれ縦枠３の目板受部３７に対応する爪部６１を形成してあり、さらに両爪部６１の間（目板６の見込方向中間部）に、内周側に延びる補強部６４を形成してある。このように形成した目板６の爪部６１を縦枠３の目板受部３７に係合させて、目板６を縦枠３の外周側に取り付け、さらに目板６の外周面と、既設縦枠１０３の既設縦枠本体部１３１の内周面に間に、平板状のスペーサ４を挟んで、縦枠３を既設縦枠１０３の内周側に設置してある。このように縦枠３を設置すると、目板６の補強部６４の内周側端が、縦枠３の縦枠本体部３１の外周面に当接する。そして、第一実施形態と同様に、縦枠３の縦枠本体部３１を既設縦枠１０３及び躯体Ｓにネジ止めしてある。
【００２７】
このように構成した本発明の建具の第二実施形態によれば、リフォームに際して既設枠を取り外す必要がないので、施工性がよく、工期を短縮でき、費用も抑えられる。そして、下枠１、上枠２及び縦枠３の目板６の外周面が平面状なので、既設枠との間に挟んだスペーサ４に対して広い面積で当接し、安定性よく取り付けられる。また、下枠１は、下枠本体部１１よりも上側に位置するアングル部１２の水平部１２ｂを既設下枠１０１にネジ止めしてあるので、ネジ孔から水が浸入しにくい。さらに、この第二実施形態において、下枠１、上枠２及び縦枠３が、それぞれ既設下枠１０１、既設上枠１０２及び既設縦枠１０３と略同一の断面形状であるように、下枠１、上枠２及び縦枠３の形状に対応して、外周側に平面状部分が形成されるような目板６を適宜用意することで、既設枠と同一又は略同一の断面形状の枠をリフォーム枠として用いることができるので、新たに金型を製造する必要がなく、費用を抑えられる。また、下枠１に設けた補強部１８が戸体７の荷重を受けており、下枠１のたわみが抑えられるので、戸体７がスムーズに動作する。さらに、上枠２や、縦枠３に取り付けた目板６にもそれぞれ補強部２８，６４を設けてあるので、戸体７の動作に伴う上枠２や縦枠３のたわみも抑えられる。
【００２８】
そして、第二実施形態においても、第一実施形態と同様に、既設下枠１０１のレールを切除することなく、下枠１を取り付けることができる（上枠２及び縦枠３についても第一実施形態と同じである）。この際、既設下枠１０１のレール１１５を切除して下枠１を取り付ける場合と、レール１１５を切除せずにその高さ分のスペーサ４を挟んで下枠１を取り付ける場合とで、下枠１の取付高さが異なるが、カバー材５の壁部５２が折り取って長さ調整自在なので、何れの場合にも対応できる。
【００２９】
次に、図１２に基づき、第三実施形態について説明する。第三実施形態も、下枠１、上枠２及び縦枠３を、第一実施形態の場合と同様の既設枠（既設下枠１０１、既設上枠１０２及び既設縦枠１０３）の内周側に取り付けるものである。そして、第三実施形態の上枠２及び縦枠３は、第一実施形態のものと同じであり、下枠１の、下枠本体部１１の形状のみが異なる。第三実施形態の下枠１は、水平面からなる下枠本体部１１と、下枠本体部１１の外周側に形成した平面部１３を有しており、平面部１３は、水平方向を向いた面であって、下枠本体部１１の浴室側部と脱衣室側部に、離隔して二つ形成してある。その他、下枠本体部１１の脱衣室側端に形成したアングル部１２、下枠本体部１１の浴室側端に形成した浴室側壁面部１４及び下枠本体部１１の上面に形成したレール１５については、第一実施形態と同じである。そして、下枠１の下枠本体部１１の外周側の平面部１３と、既設下枠１０１の既設下枠本体部１１１の上面（内周面）に間に、平板状のスペーサ４を挟んで、下枠１を既設下枠１０１の内周側に設置してある。さらに、カバー材５も第一実施形態と同じものであり、カバー材５の見込面部５１を、下枠１のアングル部１２の水平部１２ｂと既設下枠１０１のアングル部１１２の水平部１１２ｂの間に挟んである。そして、第一実施形態と同様に、下枠１のアングル部１２の水平部１２ｂを既設下枠１０１及び躯体Ｓにネジ止めしてある。
【００３０】
このように構成した本発明の建具の第三実施形態によれば、リフォームに際して既設枠を取り外す必要がないので、施工性がよく、工期を短縮でき、費用も抑えられる。そして、下枠１、上枠２及び縦枠３が外周側に平面部１３，２３，３３を有するので、既設枠との間に挟んだスペーサ４に対して広い面積で当接し、安定性よく取り付けられる。また、下枠１、上枠２及び縦枠３は平面部１３，２３，３３を有する一体形状となっているので、特に施工性がよい。さらに、下枠１は、下枠本体部１１よりも上側に位置するアングル部１２の水平部１２ｂを既設下枠１０１にネジ止めしてあるので、ネジ孔から水が浸入しにくい。
【００３１】
そして、第三実施形態においても、第一実施形態と同様に、既設下枠１０１のレールを切除することなく、下枠１を取り付けることができる（上枠２及び縦枠３についても第一実施形態と同じである）。すなわち、図１３に示すように、既設下枠１０１の既設下枠本体部１１１の上面のレール１１５を残し、レール１１５の浴室側と脱衣室側に、レール１１５の高さよりも高いスペーサ４を配置し、このスペーサ４の上面に下枠１の下枠本体部１１の外周側の平面部１３を当接させて、下枠１を既設下枠１０１の内周側に取り付けてある。そして、下枠１の取付高さに応じて、カバー材５の壁部５２を折り取って長さ調整してある。このように、第三実施形態においても、既設下枠１０１のレール１１５を切除して下枠１を取り付ける場合と、レール１１５を切除せずにその高さ分のスペーサ４を挟んで下枠１を取り付ける場合とで、下枠１の取付高さが異なるが、カバー材５の壁部５２が折り取って長さ調整自在なので、何れの場合にも対応できる。
【００３２】
本発明は、上記の実施形態に限定されない。たとえば、アングル部やカバー材を下枠部分以外の箇所に有するものであってもよい。また、カバー材の壁部は、垂直方向（見付方向）に対して傾斜しているものや、曲線状のものであってもよい。さらに、第二実施形態の下枠部分のように、目板とカバー材を有する場合においては、目板とカバー材が一体であっても別体であってもよい。また、リフォーム枠と目板の間に補強部を設ける場合、補強部はリフォーム枠と目板のどちら側に設けてあってもよい。
【符号の説明】
【００３３】
１  下枠（リフォーム枠）
２  上枠（リフォーム枠）
３  縦枠（リフォーム枠）
４  スペーサ
５  カバー材
６  目板
１１ａ  中空部
１２  アングル部
１３  平面部
５１  見込面部
５２  壁部
１０１  既設下枠（既設枠）
１０２  既設上枠（既設枠）
１０３  既設縦枠（既設枠）
１１２  アングル部
【図１】
2018141366.tif 000003
【図２】
2018141366.tif 000004
【図３】
2018141366.tif 000005
【図４】
2018141366.tif 000006
【図５】
2018141366.tif 000007
【図６】
2018141366.tif 000008
【図７】
2018141366.tif 000009
【図８】
2018141366.tif 000010
【図９】
2018141366.tif 000011
【図１０】
2018141366.tif 000012
【図１１】
2018141366.tif 000013
【図１２】
2018141366.tif 000014
【図１３】
2018141366.tif 000015
【手続補正書】
【提出日】平成30年7月17日(2018.7.17)
【手続補正１】
【補正対象書類名】特許請求の範囲
【補正対象項目名】全文
【補正方法】変更
【補正の内容】
【特許請求の範囲】
【請求項１】
リフォーム枠は、外周側に、外周面が平面状な中空部を備えており、リフォーム枠の中空部と既設枠の内周面の間にスペーサを挟んで既設枠の内周側にリフォーム枠を設置してあり、リフォーム枠を既設枠に固定してあることを特徴とする建具。
【請求項２】
リフォーム枠は、外周側に、外周面が平面状な目板を取り付けてあり、リフォーム枠の目板と既設枠の内周面の間にスペーサを挟んで既設枠の内周側にリフォーム枠の目板を設置してあり、リフォーム枠を既設枠に固定してあることを特徴とする建具。
【請求項３】
リフォーム枠は、外周側に位置する平面部を備えており、リフォーム枠の平面部と既設枠の内周面の間にスペーサを挟んで既設枠の内周側にリフォーム枠を設置してあり、リフォーム枠を既設枠に固定してあることを特徴とする建具。
【手続補正２】
【補正対象書類名】明細書
【補正対象項目名】全文
【補正方法】変更
【補正の内容】
【発明の詳細な説明】
【技術分野】
【０００１】  本発明は、浴室戸などに用いられるリフォーム用の建具に関する。
【背景技術】
【０００２】  浴室の戸が破損して新たな戸にリフォームする場合に、既設枠に適応する戸がなければ、新たなリフォーム枠を設置する必要がある。
【発明の概要】
【発明が解決しようとする課題】
【０００３】  しかしながら、既設枠を取り外してリフォーム枠に取り替えるには、壁や床を破壊する必要があり、時間や費用がかかっていた。そこで、既設枠を残したまま、既設枠の上から迅速に安定性よく取り付け可能なリフォーム枠を備える建具が求められていた。【０００４】  本発明は、上記事情を鑑みたものであり、既設枠の上から迅速に安定性よく取り付け可能なリフォーム枠を備える建具を提供することを目的とする。
【課題を解決するための手段】
【０００５】  本発明のうち請求項１の発明は、リフォーム枠は、外周側に、外周面が平面状な中空部を備えており、リフォーム枠の中空部と既設枠の内周面の間にスペーサを挟んで既設枠の内周側にリフォーム枠を設置してあり、リフォーム枠を既設枠に固定してあることを特徴とする。【０００６】  本発明のうち請求項２の発明は、リフォーム枠は、外周側に、外周面が平面状な目板を取り付けてあり、リフォーム枠の目板と既設枠の内周面の間にスペーサを挟んで既設枠の内周側にリフォーム枠の目板を設置してあり、リフォーム枠を既設枠に固定してあることを特徴とする。【０００７】  本発明のうち請求項３の発明は、リフォーム枠は、外周側に位置する平面部を備えており、リフォーム枠の平面部と既設枠の内周面の間にスペーサを挟んで既設枠の内周側にリフォーム枠を設置してあり、リフォーム枠を既設枠に固定してあることを特徴とする。【０００８】  なお、各請求項の発明において、建具のリフォーム枠には、下枠、上枠及び縦枠があるが、そのうちの少なくとも一つの枠が、各請求項の構成を有しているものであればよい。
【発明の効果】
【０００９】  本発明のうち請求項１の発明によれば、リフォームに際して既設枠を取り外す必要がないので、施工性がよく、工期を短縮でき、費用も抑えられる。そして、リフォーム枠の中空部の外周面が平面状なので、既設枠との間に挟んだスペーサに対して広い面積で当接し、安定性よく取り付けられる。さらに、リフォーム枠が中空部を有する一体形状となっているので、特に施工性がよい。【００１０】  本発明のうち請求項２の発明によれば、リフォームに際して既設枠を取り外す必要がないので、施工性がよく、工期を短縮でき、費用も抑えられる。そして、リフォーム枠の目板の外周面が平面状なので、既設枠との間に挟んだスペーサに対して広い面積で当接し、安定性よく取り付けられる。さらに、目板を適宜用意することで、種々の枠をリフォーム枠として用いることができる。【００１１】  本発明のうち請求項３の発明によれば、リフォームに際して既設枠を取り外す必要がないので、施工性がよく、工期を短縮でき、費用も抑えられる。そして、リフォーム枠の平面部が、既設枠との間に挟んだスペーサに対して広い面積で当接し、安定性よく取り付けられる。
【図面の簡単な説明】
【００１２】
【図１】第一実施形態の下枠部分の縦断面図である。
【図２】第一実施形態の上枠部分の縦断面図である。
【図３】第一実施形態の縦枠部分の横断面図である。
【図４】第一実施形態の全体縦断面図である。
【図５】第一実施形態の全体横断面図である。
【図６】第一実施形態の浴室側正面図である。
【図７】第一実施形態において、既設枠のレールを残す場合の下枠部分の縦断面図である。
【図８】第一実施形態において、既設枠のレールを残す場合の上枠部分の縦断面図である。
【図９】第二実施形態の下枠部分の縦断面図である。
【図１０】第二実施形態の上枠部分の縦断面図である。
【図１１】第二実施形態の縦枠部分の横断面図である。
【図１２】第三実施形態の下枠部分の縦断面図である。
【図１３】第三実施形態において、既設枠のレールを残す場合の下枠部分の縦断面図である。
【発明を実施するための形態】
【００１３】  以下、本発明の実施の形態を図面に基づいて説明する。この建具は様々な場所に設置可能なものであるが、ここでは浴室と脱衣室を仕切る浴室戸のリフォームに用いる場合を示す。なお、以下においては脱衣室側が見込方向一方側に相当する。図４〜図６に示すように、この建具の第一実施形態は、リフォーム枠としての下枠１、上枠２及び左右の縦枠３と、戸体７を備える。戸体７は、二枚折戸であって、浴室側に引手７１を設けてあり、浴室側に折り畳まれて開閉するものであって、下枠１と、上枠２と、左右の縦枠３を四周枠組みして形成した枠体に納めてある。そして、これらの下枠１、上枠２及び縦枠３は、それぞれ既設枠（既設下枠１０１、既設上枠１０２及び既設縦枠１０３）の内周側に取り付けてあり、以下、それぞれについて詳述する。
【００１４】  まず、下枠１部分について説明する。図１に示すように、下枠１を取り付ける既設下枠１０１は、水平面からなる既設下枠本体部１１１と、既設下枠本体部１１１の脱衣室側端に形成したアングル部１１２と、既設下枠本体部１１１の外周側に形成した脚部１１３と、既設下枠本体部１１１の浴室側端に形成した浴室側壁面部１１４を有する。アングル部１１２は、既設下枠本体部１１１の脱衣室側端から上側に向けて延びる垂直部１１２ａと、垂直部１１２ａの上端から脱衣室側に向けて延びる水平部１１２ｂからなる。また、脚部１１３は、既設下枠本体部１１１の浴室側部と脱衣室側部に、離隔して二本形成してある。さらに、浴室側壁面部１１４は、既設下枠本体部１１１の浴室側端から下側に向けて延びている。そして、既設下枠１０１の脚部１１３を、躯体Ｓの見込面に当接させ、浴室側壁面部１１４を躯体Ｓの見付面に当接させてあり、さらにアングル部１１２の水平部１１２ｂを、躯体Ｓの見込面よりも一段高く形成した脱衣室の床面Ｆに当接させてある。なお、既設下枠本体部１１１の上面には、リフォーム前の戸体が摺動するレールが形成されていたが、リフォームに際してレールを切除してある。
【００１５】  そして、このような既設下枠１０１の内周側に、新たに下枠１を取り付ける。下枠１は、中空部１１ａを有する下枠本体部１１と、下枠本体部１１（中空部１１ａ）の脱衣室側端に形成したアングル部１２と、下枠本体部１１（中空部１１ａ）の浴室側端に形成した浴室側壁面部１４を有する。下枠本体部１１（中空部１１ａ）は、下面（外周面）が平面状になっており、上面（内周面）には、戸体７を摺動させるためのレール１５を形成してある。また、アングル部１２は、下枠本体部１１の脱衣室側端から上側に向けて延びる垂直部１２ａと、垂直部１２ａの上端から脱衣室側に向けて延びる水平部１２ｂからなり、水平部１２ｂは下枠本体部１１よりも上側に位置する。垂直部１２ａの上端の浴室側面には、タイト材ホルダを形成してあり、タイト材１６を取り付けてあって、戸体７を閉じた際に、戸体７の脱衣室側面がタイト材１６に当接する。さらに、浴室側壁面部１４は、下枠本体部１１の浴室側端から下側に向けて延びており、その脱衣室側面には、複数の断面Ｖ字形の溝部１４ａを上下方向にわたって等間隔に形成してあり、折り取って長さ調整自在となっている。そして、下枠１の下枠本体部１１の下面（外周面）と、既設下枠１０１の既設下枠本体部１１１の上面（内周面）の間に、平板状のスペーサ４を挟んで、下枠１を既設下枠１０１の内周側に設置してある。このように下枠１を設置すると、下枠１のアングル部１２の水平部１２ｂが、既設下枠１０１のアングル部１１２の水平部１１２ｂの上側に位置し、下枠１の浴室側壁面部１４が、既設下枠１０１の既設下枠本体部１１１及び浴室側壁面部１１４の浴室側に位置する。ここで、浴室側壁面部１４が躯体Ｓなどと干渉する場合には、折り取って長さ調整すればよい。さらに、この建具は、脱衣室側に設けるカバー材５を有する。カバー材５は、水平向きの見込面部５１と、見込面部５１の脱衣室側端から下側に向けて延びる壁部５２を有している。壁部５２の浴室側面には、複数の突出片５３を上下にわたって等間隔に形成してあり、各突出片５３の直下の部位を肉薄に形成してあって、壁部５２が折り取って長さ調整自在となっている。また、見込面部５１の下面には、複数の断面Ｖ字形の溝部５４を見込方向にわたって等間隔に形成してあり、見込面部５１も折り取って長さ調整自在となっている。このように形成したカバー材５の見込面部５１を、ブロック状のカバー材用スペーサ５５とともに、下枠１のアングル部１２の水平部１２ｂと既設下枠１０１のアングル部１１２の水平部１１２ｂの間に挟んである。そして、壁部５２は、脱衣室の床面Ｆに干渉しないように、折り取って長さ調整してある。また、見込面部５１についても、下枠１のアングル部１２の水平部１２ｂ及び既設下枠１０１のアングル部１１２の水平部１１２ｂの長さに合わせて、長さ調整できる。そして、下枠１のアングル部１２の水平部１２ｂにネジ孔を形成してあってネジを挿入してあり、ネジは、カバー材５の見込面部５１、カバー材用スペーサ５５、既設下枠１０１のアングル部１１２の水平部１１２ｂ及び脱衣室の床面Ｆを貫通して、躯体Ｓに螺合しており、下枠１を既設下枠１０１に固定してある。なお、下枠１の浴室側壁面部１４と躯体���の間の隙間、下枠１のアングル部１２の水平部１２ｂとカバー材５の見込面部５１の間の隙間及びカバー材５の壁部５２と脱衣室の床面Ｆの間の隙間は、何れもシール材により埋めてある。
【００１６】  次に、上枠２部分について説明する。図２に示すように、上枠２を取り付ける既設上枠１０２は、水平面からなる既設上枠本体部１２１と、既設上枠本体部１２１の脱衣室側端に形成した見付面部１２２と、既設上枠本体部１２１の外周側に形成した脚部１２３と、既設上枠本体部１２１の浴室側端に形成した浴室側壁面部１２４を有する。見付面部１２２は、既設上枠本体部１２１の脱衣室側端から下側に向けて延びている。また、脚部１２３は、既設上枠本体部１２１の浴室側部と脱衣室側部に、離隔して二本形成してある。さらに、浴室側壁面部１２４は、既設上枠本体部１２１の浴室側端から上側に向けて延びている。そして、既設上枠１０２の脚部１２３を、躯体Ｓの見込面に当接させ、浴室側壁面部１２４を躯体Ｓの見付面に当接させてあり、さらに見付面部１２２を、躯体Ｓの見込面に設けた額縁Ｃの見付面に当接させてある。なお、既設上枠本体部１２１の下面には、リフォーム前の戸体が摺動するレールが形成されていたが、リフォームに際してレールを切除してある。
【００１７】  そして、このような既設上枠１０２の内周側に、新たに上枠２を取り付ける。上枠２は、水平面からなる上枠本体部２１と、上枠本体部２１の脱衣室側端に形成した見付面部２２と、上枠本体部２１の外周側に形成した平面部２３と、上枠本体部２１の浴室側端に形成した浴室側壁面部２４を有する。上枠本体部２１は、下面（内周面）に戸体７を摺動させるためのレール２５を形成してある。また、見付面部２２は、上枠本体部２１の脱衣室側端から下側に向けて延びており、その下端の浴室側面には、タイト材ホルダを形成してあり、タイト材２６を取り付けてあって、戸体７を閉じた際に、戸体７の脱衣室側面がタイト材２６に当接する。さらに、平面部２３は、水平方向を向いた面であって、上枠本体部２１の浴室側部と脱衣室側部に、離隔して二つ形成してある。また、浴室側壁面部２４は、上枠本体部２１の浴室側端から上側に向けて延びており、その脱衣室側面には、複数の断面Ｖ字形の溝部２４ａを上下方向にわたって等間隔に形成してあり、折り取って長さ調整自在となっている。そして、上枠２の上枠本体部２１の外周側の平面部２３と、既設上枠１０２の既設上枠本体部１２１の下面（内周面）の間に、平板状の二枚のスペーサ４を挟んで、上枠２を既設上枠１０２の内周側に設置してある。このように上枠２を設置すると、上枠２の見付面部２２が、既設上枠１０２の見付面部１２２の浴室側に位置し、上枠２の浴室側壁面部２４が、既設上枠１０２の既設上枠本体部１２１及び浴室側壁面部１２４の浴室側に位置する。ここで、浴室側壁面部２４が躯体Ｓなどと干渉する場合には、折り取って長さ調整すればよい。そして、上枠２の上枠本体部２１にネジ孔を形成してあってネジを挿入してあり、ネジは、スペーサ４、既設上枠１０２の既設上枠本体部１２１を貫通して、躯体Ｓに螺合しており、上枠２を既設上枠１０２に固定してある。なお、上枠２の浴室側壁面部２４と躯体Ｓの間の隙間及び上枠２の見付面部２２と既設上枠１０２の見付面部１２２の間の隙間は、何れもシール材により埋めてある。
【００１８】  最後に、縦枠３部分について説明する。左右の縦枠３部分は対称な構造であり、ここでは左側の縦枠３に基づき説明する。図３に示すように、縦枠３を取り付ける既設縦枠１０３は、見込面からなる既設縦枠本体部１３１と、既設縦枠本体部１３１の脱衣室側端に形成した見付面部１３２と、既設縦枠本体部１３１の外周側に形成した脚部１３３と、既設縦枠本体部１３１の浴室側端に形成した浴室側壁面部１３４を有する。見付面部１３２は、既設縦枠本体部１３１の脱衣室側端から内周側に向けて延びている。また、脚部１３３は、既設縦枠本体部１３１の浴室側部と脱衣室側部に、離隔して二本形成してある。さらに、浴室側壁面部１３４は、既設縦枠本体部１３１の浴室側端から外周側に向けて延びている。そして、既設縦枠１０３の脚部１３３を、躯体Ｓの見込面に当接させ、浴室側壁面部１３４を躯体Ｓの見付面に当接させてあり、さらに見付面部１３２を、躯体Ｓの見込面に設けた額縁Ｃの見付面に当接させてある。なお、既設縦枠本体部１３１の内周面には、リフォーム前の戸体が当接するタイト材を取り付けるタイト材ホルダが形成されていたが、リフォームに際してタイト材ホルダを切除してある。
【００１９】  そして、このような既設縦枠１０３の内周側に、新たに縦枠３を取り付ける。縦枠３は、見込面からなる縦枠本体部３１と、縦枠本体部３１の脱衣室側端に形成した見付面部３２と、縦枠本体部３１の外周側に形成した平面部３３と、縦枠本体部３１の浴室側端に形成した浴室側壁面部３４を有する。縦枠本体部３１は、内周面にタイト材ホルダを形成してあり、タイト材３８を取り付けてあって、戸体７を閉じた際に、戸体７の戸先部又は戸尻部がタイト材３８に当接する。また、見付面部３２は、縦枠本体部３１の脱衣室側端から内周側に向けて延びており、その内周側端の浴室側面にも、タイト材ホルダを形成してあり、タイト材３６を取り付けてあって、戸体７を閉じた際に、戸体７の脱衣室側面がタイト材３６に当接する。さらに、平面部３３は、見込方向を向いた面であって、縦枠本体部３１の浴室側部と脱衣室側部に、離隔して二つ形成してある。また、浴室側壁面部３４は、縦枠本体部３１の浴室側端から外周側に向けて延びており、その脱衣室側面には、複数の断面Ｖ字形の溝部３４ａを内外周方向にわたって等間隔に形成してあり、折り取って長さ調整自在となっている。そして、縦枠３の縦枠本体部３１の外周側の平面部３３と、既設縦枠１０３の既設縦枠本体部１３１の内周面の間に、平板状のスペーサ４を挟んで、縦枠３を既設縦枠１０３の内周側に設置してある。このように縦枠３を設置すると、縦枠３の見付面部３２が、既設縦枠１０３の見付面部１３２の浴室側に位置し、縦枠３の浴室側壁面部３４が、既設縦枠１０３の既設縦枠本体部１３１及び浴室側壁面部１３４の浴室側に位置する。ここで、浴室側壁面部３４が躯体Ｓなどと干渉する場合には、折り取って長さ調整すればよい。そして、縦枠３の縦枠本体部３１にネジ孔を形成してあってネジを挿入してあり、ネジは、スペーサ４、既設縦枠１０３の既設縦枠本体部１３１を貫通して、躯体Ｓに螺合しており、縦枠３を既設縦枠１０３に固定してある。なお、縦枠３の浴室側壁面部３４と躯体Ｓの間の隙間及び縦枠３の見付面部３２と既設縦枠１０３の見付面部１３２の間の隙間は、何れもシール材により埋めてある。
【００２０】  このように構成した本発明の建具の第一実施形態によれば、リフォームに際して既設枠（既設下枠１０１、既設上枠１０２及び既設縦枠１０３）を取り外す必要がないので、施工性がよく、工期を短縮でき、費用も抑えられる。たとえば、一般的な浴室戸のリフォームであれば、一日の工期で取り替えが完了する。そして、下枠１の下枠本体部１１の中空部１１ａの外周面が平面状であり、上枠２や縦枠３は外周側に平面部２３，３３を有するので、既設枠との間に挟んだスペーサ４に対して広い面積で当接し、安定性よく取り付けられる。また、下枠１は中空部１１ａを有する一体形状となっており、上枠２及び縦枠３も平面部２３，３３を有する一体形状となっているので、特に施工性がよい。さらに、下枠１は、下枠本体部１１よりも上側に位置するアングル部１２の水平部１２ｂを既設下枠１０１にネジ止めしてあるので、ネジ孔から水が浸入しにくい。
【００２１】  そして、上記の例では、既設下枠１０１及び既設上枠１０２のレール並びに既設縦枠１０３のタイト材ホルダを切除して下枠１、上枠２及び縦枠３を取り付けたが、これらを切除することなく下枠１、上枠２及び縦枠３を取り付けることもできる。図７に示すのは、下枠１部分であり、既設下枠１０１の既設下枠本体部１１１の上面のレール１１５を残してある。この場合、レール１１５の浴室側と脱衣室側に、レール１１５の高さよりも高いスペーサ４を配置し、このスペーサ４の上面に下枠１の下枠本体部１１の外周面を当接させて、下枠１を既設下枠１０１の内周側に取り付けてある。そしてこの場合、レールを切除した場合と比べて下枠１の取付高さが高くなるので、その分だけカバー材用スペーサ５５も高さの高いものを用いている。また、カバー材５の壁部５２についても、より高さが必要なので、レールを切除した場合と比べて、折り取る部分を短くしてある。このように、既設下枠１０１のレール１１５を切除して下枠１を取り付ける場合と、レール１１５を切除せずにその高さ分のスペーサ４を挟んで下枠１を取り付ける場合とで、下枠１の取付高さが異なるが、カバー材５の壁部５２が折り取って長さ調整自在なので、何れの場合にも対応できる。また、図８に示すのは、上枠２部分であり、下枠１部分と同様に、既設上枠１０２の既設上枠本体部１２１の下面のレール１２５を残してある。この場合も、レール１２５の浴室側と脱衣室側に、レール１２５の高さよりも高いスペーサ４を配置し、このスペーサ４の下面に上枠２の上枠本体部２１の外周側の平面部２３を当接させて、上枠２を既設上枠１０２の内周側に取り付けてある。さらに、縦枠３についても同様に、既設縦枠本体部１３１に残したタイト材ホルダの浴室側と脱衣室側に、タイト材ホルダの高さよりも高いスペーサ４を配置することで、タイト材ホルダを残したまま縦枠３を取り付けられる。
【００２２】  次に、図９〜図１１に基づき、第二実施形態について説明する。第二実施形態も、下枠１、上枠２及び縦枠３を、第一実施形態の場合と同様の既設枠（既設下枠１０１、既設上枠１０２及び既設縦枠１０３）の内周側に取り付けるものである。図９に示すように、第二実施形態の下枠１は、水平面からなる下枠本体部１１と、下枠本体部１１の脱衣室側端と浴室側端の外周側に形成した目板受部１７と、両目板受部１７の間（下枠本体部１１の見込方向中間部）に形成した補強部１８を有する。脱衣室側端の目板受部１７は、下枠本体部１１から下側（外周側）に延び先端が浴室側に屈曲した形状であり、浴室側の目板受部１７は、下枠本体部１１から下側（外周側）に延び先端が脱衣室側に屈曲した形状である。また、補強部１８は、下枠本体部１１から下側（外周側）に延びており、目板受部１７と略同じ高さである。その他、下枠本体部１１の脱衣室側端に形成したアングル部１２、下枠本体部１１の浴室側端に形成した浴室側壁面部１４及び下枠本体部１１の上面に形成したレール１５については、第一実施形態と同じである。ただし、浴室側壁面部１４は、浴室側の目板受部１７の下端部からさらに延長して設けてあるが、ここではすべて折り取ってある。このように形成した下枠１は、既設下枠１０１と略同一の断面形状である。そして、下枠本体部１１の下面側（外周側）に、目板６を取り付けてある。目板６は、略平板状で特に外周面が平面状であり、内周面の脱衣室側と浴室側に、それぞれ下枠１の目板受部１７に対応する爪部６１を形成してある。また、脱衣室側端には、上側に向けて延びる立上部６２を形成してあり、さらに立上部６２の上端に、カバー材５を一体に形成してある。すなわち、立上部６２の上端から脱衣室側に向けて水平向きに延びる見込面部５１と、見込面部５１の脱衣室側端から下側に向けて延びる壁部５２を有している。第一実施形態のカバー材と同様に、壁部５２の浴室側面には、複数の突出片５３を上下にわたって等間隔に形成してあり、各突出片５３の直下の部位を肉薄に形成してあって、壁部５２が折り取って長さ調整自在となっている。このように形成した目板６（及びカバー材５）の爪部６１を下枠１の目板受部１７に係合させて、目板６を下枠１の外周側に取り付け、さらに目板６の下面（外周面）と、既設下枠１０１の既設下枠本体部１１１の上面（内周面）に間に、平板状のスペーサ４を挟んで、下枠１を既設下枠１０１の内周側に設置してある。このように下枠１を設置すると、下枠１の補強部１８の下端が、目板６の上面に当接する。また、目板６と一体に形成したカバー材５の見込面部５１が、下枠１のアングル部１２の水平部１２ｂの下面に当接し、カバー材５の見込面部５１と既設下枠１０１のアングル部１１２の水平部１１２ｂの間には、カバー材用スペーサ５５を挟んである。さらに、カバー材５の壁部５２は、脱衣室の床面Ｆに干渉しないように、折り取って長さ調整してある。そして、第一実施形態と同様に、下枠１のアングル部１２の水平部１２ｂを既設下枠１０１及び躯体Ｓにネジ止めしてある。
【００２３】  また、図１０に示すように、第二実施形態の上枠２は、水平面からなる上枠本体部２１と、上枠本体部２１の脱衣室側端と浴室側端の外周側に形成した目板受部２７と、両目板受部２７の間（上枠本体部２１の見込方向中間部）に形成した補強部２８を有する。脱衣室側端の目板受部２７は、上枠本体部２１から上側（外周側）に延び先端が浴室側に屈曲した形状であり、浴室側の目板受部２７は、上枠本体部２１から上側（外周側）に延び先端が脱衣室側に屈曲した形状である。また、補強部２８は、上枠本体部２１から上側（外周側）に延びており、目板受部２７と略同じ高さである。その他、上枠本体部２１の脱衣室側端に形成した見付面部２２、上枠本体部２１の浴室側端に形成した浴室側壁面部２４及び上枠本体部２１の下面に形成したレール２５については、第一実施形態と同じである。ただし、浴室側壁面部２４は、浴室側の目板受部２７の上端部からさらに延長して設けてあるが、ここではすべて折り取ってある。このように形成した上枠２は、既設上枠１０２と略同一の断面形状である。そして、上枠本体部２１の上面側（外周側）に、目板６を取り付けてある。目板６は、略平板状で特に外周面が平面状であり、内周面の脱衣室側と浴室側に、それぞれ上枠２の目板受部２７に対応する爪部６１を形成してあり、さらに両爪部６１の間に、上枠２の補強部２８に対応する係止片６３を形成してある。このように形成した目板６の爪部６１を上枠２の目板受部２７に係合させて、目板６を上枠２の外周側に取り付け、さらに目板６の上面（外周面）と、既設上枠１０２の既設上枠本体部１２１の下面（内周面）に間に、平板状のスペーサ４を挟んで、上枠２を既設上枠１０２の内周側に設置してある。このように上枠２を設置すると、上枠２の補強部２８の上端が、目板６の下面に当接し、目板６の係止片６３に係止する。そして、第一実施形態と同様に、上枠２の上枠本体部２１を既設上枠１０２及び躯体Ｓにネジ止めしてある。
【００２４】  さらに、図１１に示すように、第三実施形態の縦枠３は、見込面からなる縦枠本体部３１と、縦枠本体部３１の脱衣室側端と浴室側端の外周側に形成した目板受部３７を有する。脱衣室側端の目板受部３７は、縦枠本体部３１から外周側に延び先端が浴室側に屈曲した形状であり、浴室側の目板受部３７は、縦枠本体部３１から外周側に延び先端が脱衣室側に屈曲した形状である。その他、縦枠本体部３１の脱衣室側端に形成した見付面部３２及び縦枠本体部３１の浴室側端に形成した浴室側壁面部３４並びに縦枠本体部３１の内周面に形成したタイト材ホルダ及びタイト材３８については、第一実施形態と同じである。ただし、浴室側壁面部３４は、浴室側の目板受部３７の外周側端部からさらに延長して設けてあるが、ここではすべて折り取ってある。このように形成した縦枠３は、既設縦枠１０３と略同一の断面形状である。そして、縦枠本体部３１の外周側に、目板６を取り付けてある。目板６は、略平板状で特に外周面が平面状であり、内周面の脱衣室側と浴室側に、それぞれ縦枠３の目板受部３７に対応する爪部６１を形成してあり、さらに両爪部６１の間（目板６の見込方向中間部）に、内周側に延びる補強部６４を形成してある。このように形成した目板６の爪部６１を縦枠３の目板受部３７に係合させて、目板６を縦枠３の外周側に取り付け、さらに目板６の外周面と、既設縦枠１０３の既設縦枠本体部１３１の内周面に間に、平板状のスペーサ４を挟んで、縦枠３を既設縦枠１０３の内周側に設置してある。このように縦枠３を設置すると、目板６の補強部６４の内周側端が、縦枠３の縦枠本体部３１の外周面に当接する。そして、第一実施形態と同様に、縦枠３の縦枠本体部３１を既設縦枠１０３及び躯体Ｓにネジ止めしてある。
【００２５】  このように構成した本発明の建具の第二実施形態によれば、リフォームに際して既設枠を取り外す必要がないので、施工性がよく、工期を短縮でき、費用も抑えられる。そして、下枠１、上枠２及び縦枠３の目板６の外周面が平面状なので、既設枠との間に挟んだスペーサ４に対して広い面積で当接し、安定性よく取り付けられる。また、下枠１は、下枠本体部１１よりも上側に位置するアングル部１２の水平部１２ｂを既設下枠１０１にネジ止めしてあるので、ネジ孔から水が浸入しにくい。さらに、この第二実施形態において、下枠１、上枠２及び縦枠３が、それぞれ既設下枠１０１、既設上枠１０２及び既設縦枠１０３と略同一の断面形状であるように、下枠１、上枠２及び縦枠３の形状に対応して、外周側に平面状部分が形成されるような目板６を適宜用意することで、既設枠と同一又は略同一の断面形状の枠をリフォーム枠として用いることができるので、新たに金型を製造する必要がなく、費用を抑えられる。また、下枠１に設けた補強部１８が戸体７の荷重を受けており、下枠１のたわみが抑えられるので、戸体７がスムーズに動作する。さらに、上枠２や、縦枠３に取り付けた目板６にもそれぞれ補強部２８，６４を設けてあるので、戸体７の動作に伴う上枠２や縦枠３のたわみも抑えられる。
【００２６】  そして、第二実施形態においても、第一実施形態と同様に、既設下枠１０１のレールを切除することなく、下枠１を取り付けることができる（上枠２及び縦枠３についても第一実施形態と同じである）。この際、既設下枠１０１のレール１１５を切除して下枠１を取り付ける場合と、レール１１５を切除せずにその高さ分のスペーサ４を挟んで下枠１を取り付ける場合とで、下枠１の取付高さが異なるが、カバー材５の壁部５２が折り取って長さ調整自在なので、何れの場合にも対応できる。
【００２７】  次に、図１２に基づき、第三実施形態について説明する。第三実施形態も、下枠１、上枠２及び縦枠３を、第一実施形態の場合と同様の既設枠（既設下枠１０１、既設上枠１０２及び既設縦枠１０３）の内周側に取り付けるものである。そして、第三実施形態の上枠２及び縦枠３は、第一実施形態のものと同じであり、下枠１の、下枠本体部１１の形状のみが異なる。第三実施形態の下枠１は、水平面からなる下枠本体部１１と、下枠本体部１１の外周側に形成した平面部１３を有しており、平面部１３は、水平方向を向いた面であって、下枠本体部１１の浴室側部と脱衣室側部に、離隔して二つ形成してある。その他、下枠本体部１１の脱衣室側端に形成したアングル部１２、下枠本体部１１の浴室側端に形成した浴室側壁面部１４及び下枠本体部１１の上面に形成したレール１５については、第一実施形態と同じである。そして、下枠１の下枠本体部１１の外周側の平面部１３と、既設下枠１０１の既設下枠本体部１１１の上面（内周面）に間に、平板状のスペーサ４を挟んで、下枠１を既設下枠１０１の内周側に設置してある。さらに、カバー材５も第一実施形態と同じものであり、カバー材５の見込面部５１を、下枠１のアングル部１２の水平部１２ｂと既設下枠１０１のアングル部１１２の水平部１１２ｂの間に挟んである。そして、第一実施形態と同様に、下枠１のアングル部１２の水平部１２ｂを既設下枠１０１及び躯体Ｓにネジ止めしてある。
【００２８】  このように構成した本発明の建具の第三実施形態によれば、リフォームに際して既設枠を取り外す必要がないので、施工性がよく、工期を短縮でき、費用も抑えられる。そして、下枠１、上枠２及び縦枠３が外周側に平面部１３，２３，３３を有するので、既設枠との間に挟んだスペーサ４に対して広い面積で当接し、安定性よく取り付けられる。また、下枠１、上枠２及び縦枠３は平面部１３，２３，３３を有する一体形状となっているので、特に施工性がよい。さらに、下枠１は、下枠本体部１１よりも上側に位置するアングル部１２の水平部１２ｂを既設下枠１０１にネジ止めしてあるので、ネジ孔から水が浸入しにくい。
【００２９】  そして、第三実施形態においても、第一実施形態と同様に、既設下枠１０１のレールを切除することなく、下枠１を取り付けることができる（上枠２及び縦枠３についても第一実施形態と同じである）。すなわち、図１３に示すように、既設下枠１０１の既設下枠本体部１１１の上面のレール１１５を残し、レール１１５の浴室側と脱衣室側に、レール１１５の高さよりも高いスペーサ４を配置し、このスペーサ４の上面に下枠１の下枠本体部１１の外周側の平面部１３を当接させて、下枠１を既設下枠１０１の内周側に取り付けてある。そして、下枠１の取付高さに応じて、カバー材５の壁部５２を折り取って長さ調整してある。このように、第三実施形態においても、既設下枠１０１のレール１１５を切除して下枠１を取り付ける場合と、レール１１５を切除せずにその高さ分のスペーサ４を挟んで下枠１を取り付ける場合とで、下枠１の取付高さが異なるが、カバー材５の壁部５２が折り取って長さ調整自在なので、何れの場合にも対応できる。
【００３０】  本発明は、上記の実施形態に限定されない。たとえば、アングル部やカバー材を下枠部分以外の箇所に有するものであってもよい。また、カバー材の壁部は、垂直方向（見付方向）に対して傾斜しているものや、曲線状のものであってもよい。さらに、第二実施形態の下枠部分のように、目板とカバー材を有する場合においては、目板とカバー材が一体であっても別体であってもよい。また、リフォーム枠と目板の間に補強部を設ける場合、補強部はリフォーム枠と目板のどちら側に設けてあってもよい。
【符号の説明】
【００３１】      １  下枠（リフォーム枠）      ２  上枠（リフォーム枠）      ３  縦枠（リフォーム枠）      ４  スペーサ      ５  カバー材      ６  目板    １１ａ  中空部    １２  アングル部    １３  平面部    ５１  見込面部    ５２  壁部  １０１  既設下枠（既設枠）  １０２  既設上枠（既設枠）  １０３  既設縦枠（既設枠）  １１２  アングル部